(57)【要約】【課題】吸引ポンプを設けることなくとも掃除性能が良好な電気掃除機を提供する。【解決手段】床面に相対するように配置され、かつ互いに平行に配置され、モータ４ａ，ｂと連動して回転する複数の掻上げ用ブラシローラ５ａ，ｂと、掻上げ用ブラシローラ５ａ，ｂと平行に配置されて掻上げ用ブラシローラ５ａ，ｂと接触するとともにモータ４ａ，ｂと連動して回転する掻落し用ブラシローラ６と、掻上げ用ブラシローラ５ａ，ｂと掻落し用ブラシローラ６との接点ｓ１，２より掻落し用ブラシローラ６の回転方向下流側に開口部７ａを有する塵埃収納部７とを備える。【選択図】  図２
2004147759.tif 000002
【特許請求の範囲】
【請求項１】
床面に相対するように配置され、かつ互いに平行に配置され、モータと連動して回転する複数の掻上げ用ブラシローラと、
前記掻上げ用ブラシローラと平行に配置されて前記掻上げ用ブラシローラと接触するとともに前記モータと連動して回転する掻落し用ブラシローラと、
前記掻上げ用ブラシローラと前記掻落し用ブラシローラとの接点より前記掻落し用ブラシローラの回転方向下流側に開口部を有する塵埃収納部とを備える電気掃除機。
【請求項２】
前記掻上げ用ブラシローラを、前記電気掃除機の前方側および後方側に２つ備え、前記掻落し用ブラシローラを、前記掻上げ用ブラシローラの上方かつ前記２つの掻上げ用ブラシローラの間に備えることを特徴とする請求項１に記載の電気掃除機。
【請求項３】
前記２つの掻上げ用ブラシローラは、互いに等しい大きさの直径を有し、前記掻落し用ブラシローラは、前記２つの掻上げ用ブラシローラの直径に比べて大きい直径を有することを特徴とする請求項２に記載の電気掃除機。
【請求項４】
前記２つの掻上げ用ブラシローラのうち後方側に位置する掻上げ用ブラシローラは、前記床面の種類に応じて異なる回転方向に回転駆動されることを特徴とする請求項２または３に記載の電気掃除機。
【請求項５】
前記モータを２つ備え、前記２つの掻上げ用ブラシローラのうち前方側の掻上げ用ブラシローラと前記掻落し用ブラシローラを１つの前記モータで回転駆動し、前記２つの掻上げ用ブラシローラのうち後方側に位置する掻上げ用ブラシローラを他方の前記モータで回転駆動することを特徴とする請求項２から４のいずれかに記載の電気掃除機。
【請求項６】
前記掻落し用ブラシローラの回転数は、前記掻上げ用ブラシローラの回転数以下であることを特徴とする請求項１から５のいずれかに記載の電気掃除機。
【請求項７】
前記後方側の掻上げ用ブラシローラの腰は、前記前方側の掻上げ用ブラシローラおよび前記掻落し用ブラシローラの腰に比べて相対的に強いことを特徴とする請求項２から６のいずれかに記載の電気掃除機。
【請求項８】
前記前方側の掻上げ用ブラシローラは、ゴムからなるゴムブレードを備えることを特徴とする請求項１から７のいずれかに記載の電気掃除機。
【請求項９】
前記掻上げ用ブラシローラおよび前記掻落し用ブラシローラのローラ幅は、等しいことを特徴とする請求項１から８のいずれかに記載の電気掃除機。
【請求項１０】
前記電気掃除機下面が前記床面に接地しているとき、前記モータに通電し、前記電気掃除機下面が前記床面から離反しているとき、前記モータへの通電を遮断する床面検知部を、前記電気掃除機下面の離れた位置に複数備えることを特徴とする請求項１から９のいずれかに記載の電気掃除機。
【請求項１１】
前記モータに電力を供給するための電源部を設けたことを特徴とする請求項１から１０のいずれかに記載の電気掃除機。
【発明の詳細な説明】
【０００１】
【発明の属する技術分野】
本発明は、電気掃除機に関するものである。
【０００２】
【従来の技術】
本発明に関連する先行技術文献としては次のものがある。
【０００３】
【特許文献１】
特開平５−１１１４４９号公報（図１、図２）
【特許文献２】
特開平７−３７０１３号公報（図１）
【特許文献３】
特開平９−４７３９８号公報（図１、図３）
【特許文献４】
特開２００２−１２５８９９号公報（図１）
【０００４】
従来の電気掃除機は、吸引ポンプを有する本体と、該本体に接続された接続管の先端に設けられたノズル部とを備えるものがある。このノズル部には、床面を叩き上げて塵埃を掻き上げるためのブラシローラが配置されている。そして、ブラシローラにより掻き上げられた塵埃は、吸引ポンプにより吸引され、接続管を介して本体内の塵埃収納部に誘導されるようになっている。また、掃除性能を向上するために床面に相対して複数のブラシローラが設けられた電気掃除機が周知であり、それぞれ異なる回転方向または回転数で回転されるようになっている（例えば、特許文献１，２および３参照）。
【０００５】
しかしながら、前記電気掃除機では、吸引ポンプにより吸引した空気を本体から排気する必要があり、この排気された空気が周囲の環境を害するという問題があった。また、吸引ポンプにより吸引した空気をノズル部へ再び循環させて排気量を減少させた電気掃除機も開発されているが、吸引ポンプから生じる熱を放熱する必要があり、依然として若干の排気が生じていた。また、吸引ポンプを駆動するための高出力のモータは、寸法が大きく掃除機本体を小型化できないという問題もあった。
【０００６】
そこで、吸引ポンプを設けることなく排気を無くした電気掃除機がある（例えば、特許文献４参照）。この電気掃除機では、ブラシローラにより掻き上げた塵埃をブラシローラの後方に設けられた塵埃収納部に集めて収納するようになっている。
【０００７】
【発明が解決しようとする課題】
しかしながら、前記電気掃除機では、吸引ポンプによる吸引がない為、ブラシローラに付いた塵埃が取れずに掻き上げた塵埃が再び床面に戻り、掃除性能が劣悪であるという問題があった。
【０００８】
そこで、本発明は、吸引ポンプを設けることなくとも掃除性能が良好な電気掃除機を提供することを課題とする。
【０００９】
【課題を解決するための手段】
本発明は、前記課題を解決するための手段として、
床面に相対するように配置され、かつ互いに平行に配置され、モータと連動して回転する複数の掻上げ用ブラシローラと、
前記掻上げ用ブラシローラと平行に配置されて前記掻上げ用ブラシローラと接触するとともに前記モータと連動して回転する掻落し用ブラシローラと、
前記掻上げ用ブラシローラと前記掻落し用ブラシローラとの接点より前記掻落し用ブラシローラの回転方向下流側に開口部を有する塵埃収納部とを備えるものである。
【００１０】
前記発明では、モータにより回転駆動された掻上げ用ブラシローラが、床面を叩き上げて塵埃を床面から掻き上げると、モータにより回転駆動された掻落し用ブラシローラが、この掻上げ用ブラシローラと接触し、掻上げ用ブラシローラの周囲に付着した塵埃を掻き落す。さらに、この掻き落した塵埃を掻落し用ブラシローラの回転方向下流側に位置する塵埃収納部内に開口部を介して誘導する。
【００１１】
前記掻上げ用ブラシローラを、前記電気掃除機の前方側および後方側に２つ備え、前記掻落し用ブラシローラを、前記掻上げ用ブラシローラの上方かつ前記２つの掻上げ用ブラシローラの間に備えることが好ましい。もしくは、これら２つの掻上げ用ブラシローラと１つの掻落し用ブラシローラからなるブラシローラの組を２組備えてもよい。または、３つの掻上げ用ブラシローラとこれら３つの掻上げ用ブラシローラとそれぞれ接触する１つの掻落し用ブラシローラを備えるものであってもよい。
【００１２】
また、前記２つの掻上げ用ブラシローラは、互いに等しい大きさの直径を有し、前記掻落し用ブラシローラは、前記２つの掻上げ用ブラシローラの直径に比べて大きい直径を有することが好ましい。
【００１３】
前記２つの掻上げ用ブラシローラのうち後方側に位置する掻上げ用ブラシローラは、前記床面の種類に応じて異なる回転方向に回転駆動されることが好ましい。例えば、床面が絨毯である場合、２つの掻上げ用ブラシローラは同方向に回転駆動されることが好ましく、また床面がフローリングや畳である場合、各掻上げ用ブラシローラは互いに反対方向に回転駆動されることにより床面上の塵埃をつまみ上げることが好ましい。
【００１４】
前記モータを２つ備え、前記２つの掻上げ用ブラシローラのうち前方側に位置する掻上げ用ブラシローラと前記掻落し用ブラシローラを１つの前記モータで回転駆動し、前記２つの掻上げ用ブラシローラのうち後方側に位置する掻上げ用ブラシローラを他方の前記モータで回転駆動することが好ましい。これにより、前述したように各掻上げ用ブラシローラを互いに反対方向に回転駆動するとき、負荷が大きい後方側に位置する掻上げ用ブラシローラを確実に回転駆動することができる。
【００１５】
前記掻落し用ブラシローラの回転数は、前記掻上げ用ブラシローラの回転数以下であることが好ましい。これにより、塵埃収納部内に集められた塵埃が掻落し用ブラシローラの回転によって発生する風により巻き上がることを防止できる。
【００１６】
前記後方側の掻上げ用ブラシローラの腰は、前記前方側の掻上げ用ブラシローラおよび前記掻落し用ブラシローラの腰に比べて相対的に強いことが好ましい。これにより、床面上の塵埃、特に絨毯上の砂を取る効率が向上する。このとき、後方側の掻上げ用ブラシローラの腰を強くする方法は任意であり、掻上げ用ブラシローラの材料の選択、またはブラシローラの毛の長さを短くしたり、ブラシローラの毛を太くしたり、ブラシローラの毛の本数を増加させたりすることにより達成することが好ましい。
【００１７】
前記前方側の掻上げ用ブラシローラは、ゴムからなるゴムブレードを備えることが好ましい。これにより、糸くずや髪の毛などのごみが掻上げ用ブラシローラに巻き付くことを防止するとともに、付いた糸くずや髪の毛などが取りやすくなる。
【００１８】
前記掻上げ用ブラシローラおよび前記掻落し用ブラシローラのローラ幅は、等しいことが好ましい。
【００１９】
前記電気掃除機下面が前記床面に接地しているとき、前記モータに通電し、前記電気掃除機下面が前記床面から離反しているとき、前記モータへの通電を遮断する床面検知部を、前記電気掃除機下面の離れた位置に複数備えることが好ましい。これにより、例えば、電気掃除機が逆さまに置かれた状態で電気掃除機が作動することを回避し、安全性を向上できる。
【００２０】
前記モータに電力を供給するための電源部を設けることが好ましい。このとき、電源部は、一次、または充電可能な二次電池を用いることが好ましい。これにより、コードレス電気掃除機を提供できる。
【００２１】
【発明の実施の形態】
以下、本発明の実施の形態を添付図面にしたがって説明する。
【００２２】
図１は、本発明に係る電気掃除機１を示す。この電気掃除機１は、略矩形の箱形状をなす掃除機本体２と、電気掃除機１を操作するための操作ハンドル３からなっている。前記掃除機本体２の内部には、図２、図３に示すように、２つのモータ４ａ，ｂと、２つの掻上げ用ブラシローラ５ａ，ｂと、掻落し用ブラシローラ６と、塵埃収納部７が設けられている。
【００２３】
前記モータ４ａ，ｂは、掃除機本体２内に配設されている図示しない配線を介して充電可能な二次電池８（電源部）から電力を供給され、正逆回転される。前記モータ４ａは、図３および図４（ａ）に示すように、タイミングベルト９ａを介してプーリ１０ａを回転させるものである。また、プーリ１０ａは、タイミングベルト９ｂを介してプーリ１０ｂと接続されており、プーリ１０ａが回転されるとプーリ１０ｂが連動するようになっている。一方、前記モータ４ｂは、図３および図４（ｂ）に示すように、タイミングベルト９ｃを介してプーリ１０ｃを正逆回転させるものである。
【００２４】
前記二次電池８は、掃除機本体２の下蓋２ｂを開けて掃除機本体２から取り出すことができるようになっている。二次電池８が電気掃除機１の掃除機本体２内に設けられているので、使用性が向上したコードレス電気掃除機を提供できる。また、二次電池８の代わりに一次電池を用いてもよい。
【００２５】
前記掻上げ用ブラシローラ５ａ，ｂおよび掻落し用ブラシローラ６は、図３に示すように、回転軸１１ａ，ｂ，ｃの周囲に軸方向に沿って複数のブラシ１２が螺旋状にそれぞれ取り付けられたものである。また、回転軸１１ａ，ｂ，ｃの両端には、それぞれ接続部材１３と嵌合部材１４が取付固定されている。各接続部材１３には、前記各プーリ１０ａ，ｂ，ｃと一体であり、掃除機本体２に回動自在に設けられたクラッチ１５がそれぞれ嵌合され、また、嵌合部材１４は、クラッチ１５と互いに対向する位置に形成された掃除機本体２の受け部にそれぞれ嵌合されている。これにより、前記掻上げ用ブラシローラ５ａ，ｂおよび掻落し用ブラシローラ６は、回転軸１１ａ，ｂ，ｃを中心にして回動可能に軸支されている。そして、掻落し用ブラシローラ６および掻上げ用ブラシローラ５ａは、モータ４ａまたはモータ４ｂが各プーリ１０ａ〜ｃを回転駆動すると３５００ｒｐｍ〜４０００ｒｐｍで回動される。
【００２６】
また、前記掻上げ用ブラシローラ５ａ，ｂは、図２に示すように、２点鎖線で示す床面に相対するように配置され、かつ互いに平行に配置されている。２つの掻上げ用ブラシローラ５ａ，ｂのうち掻上げ用ブラシローラ５ａは、電気掃除機１の前方側に配置されており、掻上げ用ブラシローラ５ｂは、電気掃除機１の後方側に配置されている。また、掻上げ用ブラシローラ５ａ，ｂは、互いに接触していても若干離れていてもよい。
【００２７】
また、前記掻落し用ブラシローラ６は、掻上げ用ブラシローラ５ａ，ｂと平行に配置され、掻上げ用ブラシローラ５ａ，ｂと接点ｓ１、接点ｓ２で接触するように、掻上げ用ブラシローラ５ａ，ｂの上方かつ２つの掻上げ用ブラシローラ５ａ，ｂの間に配置されている。
【００２８】
また、前記２つの掻上げ用ブラシローラ５ａ，ｂは、互いに等しい大きさの直径ｒ１（図２に図示）を有し、前記掻落し用ブラシローラ６は、前記２つの掻上げ用ブラシローラ５ａ，ｂの直径ｒ１に比べて大きい直径ｒ２を有する。また、掻上げ用ブラシローラ５ａ，ｂおよび掻落し用ブラシローラ６のローラ幅Ｌ１（図３に図示）は等しい。
【００２９】
前記塵埃収納部７は、矩形箱形状を有し、図２に示すように、掻上げ用ブラシローラ５ａ，ｂと掻落し用ブラシローラ６との接点ｓ１、接点ｓ２より矢印Ｒで示す掻落し用ブラシローラ６の回転方向下流側に形成された開口部７ａを有する。この開口部７ａの高さＬ２の寸法は、前記掻落し用ブラシローラ６の直径ｒ２より小さく、掻落し用ブラシローラ６の半径よりも大きい。このように、開口部７ａの高さＬ２の寸法が設計されていることにより塵埃収納部７内に収容された塵埃が再び排出されることなく、また塵埃が塵埃収納部７内に入りにくく掃除性能が低下することもない。また、前記塵埃収納部７は、掃除機本体２の上蓋２ａを開けて上方から取り出すことができるようになっている。
【００３０】
前記操作ハンドル３は、図５Ａ〜図５Ｃに示すように、操作ハンドル３側面から両側に突出する矩形状の断面を有する軸部３ａを有する。この軸部３ａは、掃除機本体２後部中央に位置するヒンジ部材２０の受け部２０ａ内に嵌合しており、これにより、操作ハンドル３は、ヒンジ部材２０により軸部３ａを中心にして回動可能に軸支されている。また、ヒンジ部材２０の受け部２０ａには、凹所２０ｂが形成されており、操作ハンドル３が、図５Ａに示すように、垂直方向に直立した状態にあるときに操作ハンドル３を下方に操作できるようになっている。操作ハンドル３を下方に操作すると、一方の軸部３ａ先端に設けられたスイッチ押圧部３ｂが、図５Ｂ（ａ）に示す状態から図５Ｂ（ｂ）に示す位置まで下方に移動して電気掃除機１のスイッチ２１をオン／オフするようになっている。このスイッチ２１は、オン／オフされると前記モータ４ａ，ｂを駆動／停止するものである。また、前記操作ハンドル３は、図２に示すように、操作ハンドル３下端に当接するヒンジスプリング２２により上方に付勢されており、図５Ａに示す回転位置まで持ち上げられるようになっている。また、このヒンジスプリング２２は、操作ハンドル３下端に形成された突部に係合することにより操作ハンドル３を直立した状態で固定する。
【００３１】
また、前記掃除機本体２の後部両側には、図３に示すように、床面検知部２３がそれぞれ設けられている。この床面検知部２３は、図３および図６に示すように、リミットスイッチ２４と車輪２５を備えている。リミットスイッチ２４は、前記モータ４ａ，ｂへの電力供給を通電／遮断するものである。車輪２５は、ブラケット２６の軸２６ａにより回転自在に軸支されている。このブラケット２６は、軸２６ｂを介して掃除機本体２に回動自在に軸支されており、掃除機本体２の下面が、図６において２点鎖線で示す床面に接地しているとき、一点鎖線で示す位置に押し上げられる。このとき、ブラケット２６は、前記リミットスイッチ２４をオンし、これにより前記モータ４ａ，ｂに通電するようになっている。また、前記ブラケット２６の軸２６ｂの一端には、車輪２５を掃除機本体２から突出させる方向にブラケット２６を付勢するコイルスプリング２７が設けられている。これにより、前記掃除機本体２下面が床面から離反するとき、押し上げられたブラケット２６が回動されて、リミットスイッチ２４がオフし、前記モータ４ａ，ｂへの通電を遮断するようになっている。
【００３２】
また、前記複数の床面検知部２３は、掃除機本体２の下面の離れた位置、すなわち掃除機本体２の両側に配置されているので、安全性を向上させた電気掃除機１を提供できる。これは、例えば、電気掃除機１の掃除機本体２が逆さまに置かれた状態で２つの床面検知部２３のリミットスイッチ２４を両方ともオンしない限り、モータ４ａ，ｂが作動することがないためである。
【００３３】
次に、前記構成からなる電気掃除機１を用いて床面を掃除する場合について説明する。
【００３４】
絨毯などの床面を掃除する場合、電気掃除機１のスイッチ２１がオンされると、モータ４ａが正方向に回転駆動し、掻上げ用ブラシローラ５ａおよび掻落し用ブラシローラ６が、図４（ａ）中、反時計回り方向に回動される。一方、モータ４ｂが正方向に回転駆動し、掻上げ用ブラシローラ５ｂが、図４（ｂ）中、時計回り方向に回動される。このとき、絨毯などの床面は、２つの掻上げ用ブラシローラ５ａ，ｂにより同方向に叩き上げられ、塵埃が床面から掻き上げられる。この掻き上げられた塵埃は、掻上げ用ブラシローラ５ａ，ｂの周囲に付着し、各掻上げ用ブラシローラ５ａ，ｂと接触する掻落し用ブラシローラ６により掻き落される。そして、掻き落された塵埃は、掻落し用ブラシローラ６の回転方向下流側に位置する塵埃収納部７内に開口部７ａを介して誘導され、塵埃収納部７内に収容される。このように、掻落し用ブラシローラ６が、掻上げ用ブラシローラの周囲に付着した塵埃、糸クズまたは髪の毛などを掻き落すので、それらが再び床面に戻ることなく掃除性能が向上する。
【００３５】
フローリングや畳などの床面を掃除する場合、電気掃除機１のスイッチ２１がオンされると、モータ４ｂは前記絨毯などの床面を掃除する場合と異なり、逆方向に回転駆動する。これにより、後方側に位置する掻上げ用ブラシローラ５ｂは、図４（ｂ）中、反時計回り方向に回動される。このとき、フローリングや畳などの床面は、互いに反対方向に回動する掻上げ用ブラシローラ５ａ，ｂにより叩き上げられるので、床面上の塵埃を効率的につまみ上げることができる。また、掻上げ用ブラシローラ５ｂが電気掃除機１の進行方向と逆向きに回動され、モータ４ｂの負荷が増加するが、モータ４ｂは、掻上げ用ブラシローラ５ｂのみを回転駆動するので掻上げ用ブラシローラ５ｂを確実に回転駆動することができる。
【００３６】
前記実施形態の変形例として、図７に示すように、掻上げ用ブラシローラ５ａ，ｂおよび掻落し用ブラシローラ６の全てのローラを１つのモータ４ａにより回転駆動するようにしてもよい。これにより、必要なモータの数を低減できる。
【００３７】
また、掻落し用ブラシローラ６の回転数は、掻上げ用ブラシローラ５ａ，ｂの回転数以下にしてもよい。これにより、塵埃収納部７内に集められた塵埃が、回転する掻落し用ブラシローラ６から発生する風により巻き上がることを防止できる。
【００３８】
また、後方側の掻上げ用ブラシローラ５ｂが、前方側の掻上げ用ブラシローラ５ａおよび掻落し用ブラシローラ６に比べて相対的に強い腰を有するようにしてもよい。これにより、床面上の塵埃、特に絨毯などの床面上の砂を取る効率が向上する。また、前方側の掻上げ用ブラシローラ５ａは、ブラシ１２と同様に回転軸１１ｂの周囲に螺旋上に設けられたゴムからなるゴムブレードを備えてもよい。これにより、糸くずや髪の毛などのごみが掻上げ用ブラシローラ５ａに巻き付くことを防止するとともに、付いた糸くずや髪の毛などが取りやすくなる。
【００３９】
また、前記操作ハンドル３を上方に付勢するためのヒンジスプリング２２の代案として、図８に示す付勢部材３０を設けてもよい。この付勢部材３０は、図中、上方向に付勢するスプリング３０ａと操作ハンドル３下端に摺動する摺動部３０ｂとからなる。
【００４０】
次に、前記電気掃除機１内に設けられた掻上げ用ブラシローラ５ａ，ｂを取り外す場合について説明する。
【００４１】
図９Ａに示すように、掃除機本体２内部に取り付けられている掻上げ用ブラシローラ５ｂを、図９Ｂに示すように、図中、右方向に移動させる。このとき、掻上げ用ブラシローラ５ｂを取付位置に向かって図中、左方向に付勢していた摺動部材３０が図中、右方向に移動するとともに、掻上げ用ブラシローラ５ｂの接続部材１３がクラッチ１５から離脱する。そして、図９Ｃに示すように、掻上げ用ブラシローラ５ｂの接続部材１３側の端から掃除機本体２外部に取り出す。これにより、従来の電気掃除機のようにタイミングベルトを外すことなく、掻上げ用ブラシローラ５ａ，ｂを取り出すことができ、掻上げ用ブラシローラ５ａ，ｂの着脱作業が容易となる。また、着脱作業中に、誤ってタイミングベルトを破損することを回避できる。また、従来の電気掃除機とは異なり、プーリ１０ａ，ｂ，ｃを取り外すことなく掻上げ用ブラシローラ５ａ，ｂの着脱作業を行えるので、プーリ１０ａ，ｂ，ｃを掃除機本体２にガタ付きを持たせることなく取り付けることができる。これにより、掻上げ用ブラシローラ５ａ，ｂの回転時の各部材（掻上げ用ブラシローラ５ａ，ｂや、タイミングベルト９ａ，ｂ，ｃ、プーリ１０ａ，ｂ，ｃ）の回転音を低減できる。
【００４２】
また、図１０に示すように、前記摺動部材３０を掃除機本体２に設けるのではなく、掻上げ用ブラシローラ５ａ，ｂに、掻上げ用ブラシローラ５ａ，ｂを長手方向に沿って伸縮自在にする伸縮部材３１を設け、同様に掻上げ用ブラシローラ５ａ，ｂを取り外すようにしてもよい。
【００４３】
【発明の効果】
以上の説明から明らかなように、本発明によると、回転駆動された掻上げ用ブラシローラが、床面を叩き上げて塵埃を床面から掻き上げ、掻上げ用ブラシローラと接触する掻落し用ブラシローラが、掻上げ用ブラシローラの周囲に付着した塵埃を掻き落し、さらに、この掻き落した塵埃を掻落し用ブラシローラの回転方向下流側に位置する塵埃収納部内に効率良く誘導して収容するので、従来の吸引ポンプがない電気掃除機に比べて掃除性能を向上できた。また、吸引ポンプが設けられていないので外部に排気する必要がなく、周囲の環境を害さないという効果をも奏する。さらに、吸引ポンプを駆動するための高出力のモータを使用しないので、必要な電力を低減、低騒音化および小型化を図れる。また、低電力で電気掃除機を駆動できるので、電源コードを設け商用電源から電力を供給する必要がなく、掃除機本体に内蔵可能な電池などで駆動でき、コードレス電気掃除機を提供できる。また、従来の吸引ポンプが設けられた電気掃除機の場合、フィルタが必要であったが、このフィルタも必要がなく、フィルタの目詰まりによる掃除性能の低下がなくなり、初期の掃除性能を維持できるという効果をも奏する。
【図面の簡単な説明】
【図１】本発明の電気掃除機の全体図である。
【図２】図１の電気掃除機の一部拡大断面図である。
【図３】図２の掃除機本体の下面方向から見た断面図である。
【図４】（ａ）、（ｂ）は、図１の電気掃除機のプーリにタイミングベルトをかけた状態を示した側面断面図である。
【図５Ａ】図１の電気掃除機の側面断面図である。
【図５Ｂ】（ａ）、（ｂ）は、図１の電気掃除機の操作ハンドルの動作状態を示した一部拡大図である。
【図５Ｃ】図２の掃除機本体の上面方向から見た一部拡大断面図である。
【図６】図２の掃除機本体の一部拡大断面図である。
【図７】図１の電気掃除機の変形例を示した側面断面図である。
【図８】図１の電気掃除機の変形例を示した側面断面図である。
【図９Ａ】図１の電気掃除機の掻上げ用ブラシローラを取り外す動作状態を示した掃除機本体を前方側から見た断面図である。
【図９Ｂ】図１の電気掃除機の掻上げ用ブラシローラを取り外す動作状態を示した掃除機本体を前方側から見た断面図である。
【図９Ｃ】図１の電気掃除機の掻上げ用ブラシローラを取り外す動作状態を示した掃除機本体を前方側から見た断面図である。
【図１０】図１の電気掃除機の変形例を示した掃除機本体を前方側から見た断面図である。
【符号の説明】
１…電気掃除機
４ａ，ｂ…モータ
５ａ，ｂ…掻上げ用ブラシローラ
６…掻落し用ブラシローラ
７ａ…開口部
７…塵埃収納部
ｓ１，２…接点
【図１】
2004147759.tif 000003
【図２】
2004147759.tif 000004
【図３】
2004147759.tif 000005
【図４】
2004147759.tif 000006
【図５Ａ】
2004147759.tif 000007
【図５Ｂ】
2004147759.tif 000008
【図５Ｃ】
2004147759.tif 000009
【図６】
2004147759.tif 000010
【図７】
2004147759.tif 000011
【図８】
2004147759.tif 000012
【図９Ａ】
2004147759.tif 000013
【図９Ｂ】
2004147759.tif 000014
【図９Ｃ】
2004147759.tif 000015
【図１０】
2004147759.tif 000016